(57)【要約】【課題】回転扉或いはスライドドアが完全に閉まっているかどうかをチェック可能な施錠装置を提供する。【解決手段】デッドボルト６を備えた補助錠本体３と受け部材５とを有してなる補助錠１において、デッドボルト６を鍵穴７に挿入可能な位置に、ドア４が位置していることを検出するための永久磁石８を設け、補助錠本体３に永久磁石８を検出するスイッチ１３Ａ、１３Ｂを設けた。【選択図】  図１
2005213778.tif 000002
【特許請求の範囲】
【請求項１】
デッドボルトを備えた施錠装置本体と前記デッドボルトを拘束可能な拘束部材とを有し、開口部を閉鎖する開閉部材を開放不能に施錠する施錠装置であって、前記開閉部材が適正に前記開口部を閉鎖していることを検出するための被検出手段を前記拘束部材に設け、前記施錠装置本体に前記被検出手段を検出するための検出手段を設けたことを特徴とする施錠装置。
【請求項２】
請求項１の施錠装置において、前記被検出手段は、磁石、応答素子付きループアンテナ、反射鏡、識別標識の何れかであり、前記検出手段は、前記磁石を検出するリードスイッチ、前記ループアンテナに電波を送って応答電波を検出する送信素子及び受信素子、前記反射鏡に対応する反射型インタラプタ、前記識別標識を読み取る読み取り装置の何れかであることを特徴とする施錠装置。
【発明の詳細な説明】
【技術分野】
【０００１】
本発明は、建物等の施工完了後に窓や扉に設置する施錠装置に関する。
【背景技術】
【０００２】
従来、周知の建物の窓や扉などの施錠装置は、デッドボルトを有する施錠装置本体と、このデッドボルトと干渉して窓や扉等を開放不能とするストライカー（拘束部材）とで構成される。
【特許文献１】特開２００３ー２３２１４９号公報
【発明の開示】
【発明が解決しようとする課題】
【０００３】
しかしながら、従来の施錠装置では、ヒンジ等で回転して開閉するドアでは、実際に鍵をかける動作を行って、鍵が適正にかかるかどうかを判断し、鍵が適正にかからなければ、ドアが開いていると使用者が判断するものが多く、ドアが完全に閉まっているかどうかをチェックする機能を有するものはなかった。
【０００４】
本発明は、ヒンジドア或いはスライドドア（いずれも窓を含む。以下、同じ。）が完全に閉まっているかどうかをチェック可能な施錠装置を提供することを目的とする。
【課題を解決するための手段】
【０００５】
上記課題を解決するために、本願の第１の施錠装置は、デッドボルトを備えた施錠装置本体と前記デッドボルトを拘束可能な拘束部材とを有し、開口部を閉鎖する開閉部材を開放不能に施錠する施錠装置であって、前記開閉部材が適正に前記開口部を閉鎖していることを検出するための被検出手段を前記拘束部材に設け、前記施錠装置本体に前記被検出手段を検出するための検出手段を設けたことを特徴とする。
【０００６】
本願の第２の施錠装置は、第１の施錠装置において、前記被検出手段は、磁石、応答素子付きループアンテナ、反射鏡、識別標識の何れかであり、前記検出手段は、前記磁石を検出するホール素子、前記ループアンテナに電波を送って応答電波を検出する送信素子及び受信素子、前記反射鏡に対応する反射型インタラプタ、前記識別標識を読み取る読み取り装置の何れかであることを特徴とする。
【発明の効果】
【０００７】
本願の施錠装置によれば、開口部と開閉部材とが実際に施錠されていないときであっても（施錠されている場合であっても良い）、開閉部材が開口部を適正に閉鎖しているか否か、或いは、開口部が開いているかどうかを監視でき、在宅時において建物全体において個々の窓等の開閉状態を容易に確認できることとなる。
【発明を実施するための最良の形態】
【０００８】
以下、本願発明を実施するための最良の形態を、図面を参照しつつ説明する。
【０００９】
図１は、本発明の最良の形態にかかる施錠装置を示すものであり、この施錠装置は、例えばマンションや一戸建て建物の玄関の入り口に設けられる補助錠１である。この補助錠１は、玄関入り口Ｐ（開口部）の上部壁部２に固定して取り付けられる補助錠本体３（施錠装置本体）と、ドア４の縁部にネジ４Ａにより固定して取り付けられる拘束部材としての受け金具５とで構成される。
【００１０】
補助錠本体３は、ドア４側でなく玄関入り口Ｐの上部壁部２に設置された場合、設置が容易であり、強固であると共に、ドア４の主錠より遠く離れて設置されるために、侵入者に補助錠１の設置位置が気付かれ難く、ピッキング等の針金等を用いた補助錠本体３の解錠操作が困難となり、ドア４の主錠が万一侵入者によって解錠されても、ドア４の施錠状態を維持できる。
【００１１】
補助錠本体３には、デッドボルト６が備えられており、受け金具５の起立板部５Ａにはデッドボルト６が挿入される鍵穴７が開口されている。受け金具５のドア４の平面から直交方向に起立する起立板部５Ａには、被検出手段としての一対の永久磁石８Ａ、８Ｂが取り付けられている。一対とするのは、検出精度を考慮してのことであるが、１個でも良い。
【００１２】
上記被検出手段は、永久磁石８Ａ、８Ｂの他に、応答素子付きループアンテナ、反射鏡、識別標識の何れかであってもよい。また、補助錠本体３側の検出手段は、スイッチ１３Ａ、１３Ｂで構成されているが、永久磁石８Ａ、８Ｂを検出するリードスイッチ、或いは、ループアンテナに電波を送って応答電波を検出する送信素子及び受信素子、或いは、反射鏡に光を照射して反射光を読み取る反射型インタラプタ、或いは、識別標識を読み取る読み取り装置の何れかであっても良い。
【００１３】
補助錠本体３は、デッドボルト６を長手方向にスライド可能且つ直交方向に移動不能に保持する金属筒状の保持部材（図示省略）と、デッドボルト６を長手方向にスライドさせるための減速ギア機構或いはリンク機構からなる駆動機構（図示省略）と、この駆動機構を駆動するためのモーターＭと、モーターＭに給電するバッテリー９と、バッテリー９から給電されるマイクロコンピュータ１０と、室内の集中監視制御装置１１からの施錠命令・解錠命令・監視命令を送受信するための通信素子やＣＯＤＥＣ素子を備えた通信モジュール１２とを備えている。
【００１４】
また、補助錠本体３は、永久磁石８Ａ、８Ｂに吸引されて導通するスイッチ１３Ａ、１３Ｂと、デッドボルト６の待機時若しくは解錠時の位置を検出するホームポジションスイッチ１４と、デッドボルト６が鍵穴７に適正に挿入されたときのデッドボルト６の位置を検出する挿入確認スイッチ１５とを備えている。デッドボルト６はスイッチ１５をＯＮするための突起部６Ａを備え、図示しない前記保持部材と鍵穴７は突起部６Ａを通過可能な形状を有している。また、デッドボルト６はスイッチ１４をＯＮするための突起部６Ｂを備え、前記保持部材は突起部６Ｂを通過可能な形状を有している。
【００１５】
モーターＭとバッテリー９との間には、電流の方向を変えて正回転・逆回転を制御するためのリレー素子１６が設けられ、リレー素子１６はマイクロコンピュータ１０の制御によってモーターＭの回転方向を制御する。
【００１６】
通信モジュール１２は、集中監視制御装置１１との無線通信を行うためのアンテナ１７を備えており、バッテリー９から給電される。
【００１７】
マイクロコンピュータ１０は、集中監視制御装置１１からの「施錠命令信号」や「監視命令信号」或いは「解錠命令信号」或いはドアの「開閉状態確認命令信号」を受信して、スイッチ１３Ａ、１３Ｂ、１４、１５の状態を検出したり、モーターＭ等の正逆回転制御を行う。
【００１８】
即ち、集中監視制御装置１１は、建物内の施錠を行ったり、施錠を監視したり、解錠を行うものであり、携帯電話２０と接続可能な宅内の電話を介して接続されており、携帯電話２０と相互にデータ通信を行う通信機能を有している。集中監視制御装置１１は、施錠ボタン１１Ａ、監視ボタン１１Ｂ、解錠ボタン１１Ｃ、警告ランプ１９を備えていると共に、「ドア開閉状態確認命令」や「施錠命令」や「監視命令」或いは「解錠命令」を補助錠１に送信するための通信プログラムを備えている。
【００１９】
集中監視制御装置１１がアンテナ１１Ｄからドア４の「開閉状態確認命令信号」を出力した場合、アンテナ１７を介して通信モジュール１２がこの「ドア開閉状態確認命令信号」を受信すると、通信モジュール１２はこの「ドア開閉状態確認命令信号」をビットコードに変換して、マイクロコンピュータ１０に送信する。
【００２０】
マイクロコンピュータ１０は、この「ドア開閉状態確認命令信号」に基づいて、ドア開閉状態確認プログラムを起動し、ドア４が隙間などに物が挟まった状態でなく適正に入り口Ｐを閉じているかどうか（施錠はしていない）についてドアの閉鎖状態を確認する。
【００２１】
このドア開閉状態確認プログラムは、スイッチ１３Ａ、１３Ｂが永久磁石８Ａ、８Ｂに吸引されて導通しているかどうかを確認する。
【００２２】
スイッチ１３Ａ、１３Ｂが導通していれば、ドア４が適正に入り口Ｐを閉鎖していると判断して、ドア４が適正に閉鎖されているという「適正閉鎖情報」をアナログ変換し、集中監視制御装置１１に送信する。集中監視制御装置１１は、「適正閉鎖情報」を受信すると、液晶表示板１８に例えば「玄関のドアは閉鎖されています。」等の表示を行う。
【００２３】
スイッチ１３Ａ、１３Ｂが導通していなければ、ドア４が入り口Ｐを閉鎖していないと判断して通信モジュール１２からアンテナ１７を介して集中監視制御装置１１に「ドア開放情報」を送信する。集中監視制御装置１１は、「ドア開放情報」を受信すると、液晶表示板１８に例えば「玄関が開いています。」等の表示を行う。
【００２４】
集中監視制御装置１１がドア４の「施錠命令信号」を出力した場合、同様に、アンテナ１７を介して通信モジュール１２がこの「施錠命令信号」を受信すると、通信モジュール１２は「施錠命令信号」をビットコードに変換してマイクロコンピュータ１０に送信する。マイクロコンピュータ１０は、この「施錠命令信号」に基づいて施錠プログラムを起動する。この施錠プログラムは、最初にドア開閉状態確認プログラムを起動して、ドア４が隙間などに物が挟まった状態でなく適正に入り口Ｐを閉じているかどうか（施錠はしていない）についてドアの閉鎖状態を確認する。
【００２５】
このドアの閉鎖確認において、ドア４が適正に閉まっていないときは、液晶表示板１８に例えば「玄関が開いています。」等の表示を行って、集中監視制御装置１１の警告ランプ１９を点滅させ、使用者によるドア４の閉鎖を待つ。
【００２６】
ドア４が適正に閉まっているときは、施錠プログラムは、モーターＭを正転させてデッドボルト６を鍵穴７の内部に挿入する。デッドボルト６が鍵穴７の内部に進入した進入量が適正かどうかは、挿入確認用のスイッチ１５がＯＮすることによって判断される。
【００２７】
所定時間内にスイッチ１５がＯＮすれば、マイクロコンピュータ１０はデッドボルト６が適正に鍵穴７に挿入されたと判断し、「施錠完了」として、その結果を集中監視制御装置１１に送信する。集中監視制御装置１１は、その「施錠完了情報」を受信して液晶表示部１８に例えば「施錠中」と表示する。
【００２８】
所定時間内にスイッチ１５がＯＮしなければ、マイクロコンピュータ１０はデッドボルト６が適正に鍵穴７に挿入されなかったと判断し、「施錠未完了」として、その結果を集中監視制御装置１１に送信する。集中監視制御装置１１は、その「施錠未完了情報」を受信して液晶表示部１８に、例えば「施錠できません」等の表示を行って、集中監視制御装置１１の警告ランプ１９を点滅させ、使用者によるドア４の閉鎖を待つ。
【００２９】
監視プログラムは施錠プログラムの実行終了後に自動的に起動される。この監視プログラムの処理内容は、施錠プログラムが実行済みであることを条件として、定期的にドア開閉状態確認プログラムを起動して、ドア４が適正に入り口Ｐを閉じているかどうかについてドアの閉鎖状態を確認する。確認後は、その確認結果を集中監視制御装置１１に送信する。そして、「施錠中」であるにもかかわらずドア４が開けられたら、集中監視制御装置１１は警報ランプ１９を点滅させたり、警備会社等に通信したり、携帯電話２０に警報を送信する。例えば、ドア４が適正に入り口Ｐを閉鎖しており、スイッチ１３Ａ、１３ＢがＯＮ状態であって、挿入確認用のスイッチ１５がオフになった後、所定時間経過後もホームポジションスイッチ１４がＯＮの状態とならない場合、正規な解錠でないことから、警報ランプ１９を点滅させる。
【００３０】
また、携帯電話２０等からの施錠状態の確認命令を集中監視制御装置１１が受信すると、集中監視制御装置１１はドア４の「監視命令信号」を補助錠１に出力する。この場合、マイクロコンピュータ１０は、この「監視命令信号」に基づいて監視プログラムを起動する。
【００３１】
この監視プログラムは、施錠プログラムが実行終了によってデッドボルト６が鍵穴７に挿入されていることを条件として、定期的にドア開閉状態確認プログラムを起動して、ドア４が適正に入り口Ｐを閉じているかどうかについてドアの閉鎖状態を確認する。そして、その確認結果を集中監視制御装置１１に送信し、集中監視制御装置１１はその確認結果情報を携帯電話２０に送信する。
【００３２】
集中監視制御装置１１がドア４の解錠命令信号を出力した場合、同様に、アンテナ１７を介して通信モジュール１２が「解錠命令信号」を受信すると、通信モジュール１２は「解錠命令信号」をビットコードに変換してマイクロコンピュータ１０に送信する。マイクロコンピュータ１０は、この「解錠命令信号」に基づいて解錠プログラムを起動する。この解錠プログラムは、モーターＭを逆回転させてデッドボルト６を鍵穴７から抜く。デッドボルト６が鍵穴７から完全に抜かれたかどうかは、スイッチ１４がＯＮすることによって判断される。
【００３３】
所定時間内にスイッチ１４がＯＮすれば、マイクロコンピュータ１０はデッドボルト６が適正に鍵穴７から抜かれたと判断し、解錠完了として、その結果を集中監視制御装置１１に送信する。集中監視制御装置１１は、その「解錠完了情報」を受信して液晶表示部１８に「解錠中」と表示する。
【００３４】
所定時間内にスイッチ１４がＯＮしなければ、マイクロコンピュータ１０はデッドボルト６が適正に鍵穴７から抜かれていないと判断し、解錠未完了として、その結果を集中監視制御装置１１に送信する。集中監視制御装置１１は、その「施錠未完了情報」を受信して液晶表示部１８に「施錠未完了」と表示する。
【００３５】
また、携帯電話２０等から解錠命令が集中監視制御装置１１に送信されると、集中監視制御装置１１側からマイクロコンピュータ１０にドア４の「解錠命令信号」が出力される。マイクロコンピュータ１０は、この「解錠命令信号」に基づいて解錠プログラムを起動する。
【００３６】
解錠プログラムは、所定時間内にスイッチ１４がＯＮすれば、解錠完了として、その結果を集中監視制御装置１１に送信する。集中監視制御装置１１は、その「解錠完了情報」を受信して液晶表示部１８に「解錠中」と表示すると共に、携帯電話２０に「解錠完了」と表示させる。
【００３７】
逆に、所定時間内にスイッチ１４がＯＮしなければ、マイクロコンピュータ１０は「解錠未完了情報」を集中監視制御装置１１に送信する。集中監視制御装置１１は、その「解錠未完了情報」を受信して液晶表示部１８に「解錠未完了」と表示すると共に、携帯電話２０に「解錠未完了」と表示させる。
【００３８】
このように、受け金具５に被検出手段としての永久磁石８Ａ、８Ｂを設け、補助錠本体３に検出手段としてのスイッチ１３Ａ、１３Ｂを設けたので、施錠中でなくても、ドア４の開閉状態を検出して、戸締まりの状態を室内で容易に確認でき、一つ一つの開口部の施錠状態を確認するために歩き回る必要がないという利便性がある。また、受け金具５とデッドボルト６の適正な位置（挿入位置）を容易に検出できるので、補助錠本体３側の構成を簡略化することができる。
【００３９】
更に、玄関のドア４の補助錠とした場合に、電気的に施錠するので、いわゆる「ピッキング」や「ドリルによる鍵の破壊」といった侵入を防止でき、しかも、後付けで容易に取り付けることができるので、ドア４の主錠を交換するという必要がないという利点がある。
【００４０】
なお、この施錠装置は補助錠として構成したが、主錠として用いても良いのは勿論であり、図２に示すように、ヒンジ型の窓３０と開口部３１に適用することも可能である。
【００４１】
更に、図３、図４に示すように、スライド式の引き違い戸の窓框４０、４１に適用することも可能である。図３において、室内側の窓の窓框４１には補助錠本体３が取り付けられ、室外側の窓の窓框４０のガラス４２を押さえる縁板４３に、受け金具４４が取り付けられている。この受け金具４４は、図１に示す受け金具５と異なり、縁板４３に固定される一枚板で構成され、表面に鍵穴４５が穿設されている。受け金具４４の補助錠本体３側の面には、永久磁石４６Ａ、４６Ｂが取り付けられている。永久磁石４６Ａ、４６Ｂはスイッチ１３Ａ、１３Ｂをオンオフさせる。その他の構成は、受け金具５と同様であるので、その説明を援用する。
【００４２】
図５は、スライド式の引き違い戸の窓框５０（可動部）と窓枠５１（固定部）に適用した状態を示す。図５において、室内側の窓枠５１には補助錠本体３が取り付けられ、室内側の窓の窓框５０に、受け金具５３が取り付けられている。この受け金具５３は、図１に示す受け金具５と同様であり、受け金具５３の窓框５０の平面から直交方向に起立する起立板部５３Ａには、鍵穴５４が貫通して開口されている。受け金具５３の補助錠本体３側の面には、永久磁石５５Ａ、５５Ｂが取り付けられている。永久磁石５５Ａ、５５Ｂは補助錠本体３のスイッチ１３Ａ、１３Ｂをオンオフさせる。その他の構成は、図１，２において説明した補助本体３の構成と同様であるので、その説明を援用する。
【００４３】
このようなスライド式の窓の場合、室内側にのみ受け金具５３を取り付けるために、スライド式の戸が２枚のものが好適である。このスライド式の１枚戸の場合は、建物の天井に近い上部側に施錠装置を取り付けるのが好適である。
【００４４】
更に、図１，図２の窓において、固定側の開口部に施錠装置を取り付け、可動側のドア４側に受け金具を取り付けたが、可動側のドア４側に施錠装置本体を取り付け、固定側の開口部２に受け金具を取り付けても良い。
【産業上の利用可能性】
【００４５】
本発明は、建物を施錠する施錠装置に適用でき、予め取り付けられた据付型の施錠装置として、或いは、後付けの施錠装置として利用できると共に、補助錠としても主錠としても利用することができる。
【図面の簡単な説明】
【００４６】
【図１】本発明の最良の形態にかかる施錠装置としての補助錠をヒンジドアの開口部に取り付けた状態の説明図。
【図２】本発明の実施の形態にかかる施錠装置としての補助錠をヒンジ窓の開口部に取り付けた状態の説明図。
【図３】本発明の実施の形態にかかる施錠装置としての補助錠をスライド式の引き違い戸の窓框に取り付けた状態を示す説明図。
【図４】図３の受け金具の鍵穴の形状を示す斜視図。
【図５】本発明の実施の形態にかかる施錠装置としての補助錠をスライド戸の窓框と窓枠に取り付けた状態を示す説明図。
【符号の説明】
【００４７】
１  補助錠（施錠装置）
Ｐ  玄関入り口
２  玄関入り口の上部縁部（開口部）
３  補助錠本体（施錠装置本体）
４  ドア（開閉部材）
５  受け金具（拘束部材）
６  デッドボルト
７  鍵穴
８  永久磁石（被検出手段）
１３Ａ、１３Ｂ  スイッチ（検出手段）
【図１】
2005213778.tif 000003
【図２】
2005213778.tif 000004
【図３】
2005213778.tif 000005
【図４】
2005213778.tif 000006
【図５】
2005213778.tif 000007